(57)【要約】      （修正有）【課題】販売期間が終了した印刷物の再販を支援する印刷物販売システム、サーバ、データ管理方法、及びプログラムを提供する。【解決手段】印刷物販売システム１において、画像管理サーバ２は、販売中の印刷物に使用する原画像データ２０１を記憶する画像用ストレージ２０を有する。販売期間終了後、画像管理サーバ２は、画像用ストレージ２０から原画像データ２０１をアーカイブ用ストレージ６に移し替える。印刷物を再販する際、画像管理サーバ２は、再販する印刷物の原画像データ２０１をアーカイブ用ストレージ６から取出し、印刷物の製造側のストレージ７，８へ送信する。また、画像管理サーバ２は、印刷物の販売形態に応じてアーカイブ用ストレージ６からの原画像データ２０１の取り出し方法を変更する。【選択図】図１
2020135166.tif 000002
【特許請求の範囲】
【請求項１】
印刷物の製造、販売を管理するサーバと、
ネットワークを介して前記サーバと通信接続された前記印刷物の製造側のストレージと、
販売中の印刷物の原画像データを記憶する画像用ストレージと、
販売期間終了後の印刷物の原画像データを記憶するアーカイブ用ストレージと、を備え、
前記サーバは、
再販する印刷物の前記原画像データを前記アーカイブ用ストレージから取出し、前記製造側のストレージへ送信する原画像データ移動手段
を備えることを特徴とする印刷物販売システム。
【請求項２】
前記サーバは、前記印刷物の販売形態に応じて前記アーカイブ用ストレージからの前記原画像データの取り出し方法を変更する変更手段を備えることを特徴とする請求項１に記載の印刷物販売システム。
【請求項３】
注文用サイトを介したオンライン注文を受け付け、印刷物の製造を製造業者で行う販売形態において、
前記原画像データ移動手段は、注文のあった印刷物の原画像データを定期的に前記アーカイブ用ストレージから取出し、前記製造業者のストレージへ移動させることを特徴とする請求項２に記載の印刷物販売システム。
【請求項４】
前記アーカイブ用ストレージからの原画像データの取出し単位は、注文毎とすることを特徴とする請求項３に記載の印刷物販売システム。
【請求項５】
前記サーバは、前記製造業者のストレージに注文のあった印刷物の原画像データが記憶されているか否かを確認する確認手段を更に備え、
前記原画像データ移動手段は、前記確認手段により前記印刷物の原画像データが記憶されていないと確認された場合に該注文についての原画像データを前記アーカイブ用ストレージから移動することを特徴とする請求項３または請求項４に記載の印刷物販売システム。
【請求項６】
キオスク端末からの注文を受け付け、印刷物の印刷を注文を受けたキオスク端末で行う販売形態において、
前記原画像データ移動手段は、前記原画像データを一括して前記アーカイブ用ストレージから取出し前記キオスク端末のストレージへ移動させることを特徴とする請求項２に記載の印刷物販売システム。
【請求項７】
前記アーカイブ用ストレージからの原画像データの取出し単位は、イベント単位とすることを特徴とする請求項６に記載の印刷物販売システム。
【請求項８】
前記原画像データ移動手段による原画像データの移動は、販売期間開始前に行うことを特徴とする請求項６または請求項７のいずれかに記載の印刷物販売システム。
【請求項９】
注文用サイトを介した注文を受け付け、印刷物の印刷をキオスク端末で行う販売形態において、
前記原画像データ移動手段は、注文の都度、前記原画像データを前記アーカイブ用ストレージから取出し前記キオスク端末のストレージへ移動させることを特徴とする請求項２に記載の印刷物販売システム。
【請求項１０】
前記アーカイブ用ストレージからの原画像データの取出し単位は、注文毎とすることを特徴とする請求項９に記載の印刷物販売システム。
【請求項１１】
前記サーバは、前記キオスク端末のストレージに注文のあった印刷物の原画像データが記憶されているか否かを確認する確認手段を更に備え、
前記原画像データ移動手段は、前記確認手段により前記印刷物の原画像データが記憶されていないと確認された場合に該注文についての原画像データを移動することを特徴とする請求項９または請求項１０に記載の印刷物販売システム。
【請求項１２】
前記サーバは、前記印刷物の販売形態を選択する販売形態選択手段を備え、
前記変更手段は、前記販売形態選択手段により選択された販売形態に応じて前記アーカイブ用ストレージからの前記原画像データの取り出し方法を変更することを特徴とする請求項２から請求項１１のいずれかに記載の印刷物販売システム。
【請求項１３】
前記アーカイブ用ストレージは、ネットワークを介してアクセス可能なストレージであることを特徴とする請求項１から請求項１２のいずれかに記載の印刷物販売システム。
【請求項１４】
前記画像用ストレージには、販売期間終了後もサムネイル画像が保存されることを特徴とする請求項１から請求項１３のいずれかに記載の印刷物販売システム。
【請求項１５】
印刷物の製造、販売を管理するサーバであって、
再販する印刷物の原画像データを、販売期間終了後の印刷物の原画像データを記憶するアーカイブ用ストレージから取出し、ネットワークを介して通信接続された前記印刷物の製造側のストレージへ送信する原画像データ移動手段
を備えることを特徴とするサーバ。
【請求項１６】
印刷物の製造、販売を管理するサーバと、
ネットワークを介して前記サーバと通信接続された前記印刷物の製造側のストレージと、
販売中の印刷物の原画像データを記憶する画像用ストレージと、
販売期間終了後の印刷物の原画像データを記憶するアーカイブ用ストレージと、を備えた印刷物販売システムにおけるデータ管理方法であって、
前記サーバが、
再販する印刷物の前記原画像データを前記アーカイブ用ストレージから取出し、前記製造側のストレージへ送信することを特徴とするデータ管理方法。
【請求項１７】
印刷物の製造、販売を管理するサーバとして機能するコンピュータを、
再販する印刷物の原画像データを、販売期間終了後の印刷物の原画像データが記憶されたアーカイブ用ストレージから取出し、ネットワークを介して通信接続された前記印刷物の製造側のストレージへ送信する原画像データ移動手段
として機能させるためのプログラム。
【発明の詳細な説明】
【技術分野】
【０００１】
本発明は、印刷物販売システム、サーバ、データ管理方法、及びプログラムに関し、詳細には、オンライン等での印刷物販売における画像データの管理に関する。
【背景技術】
【０００２】
アイドルやタレント、スポーツ選手、マンガやアニメのキャラクター等、知名度があり商品価値の高いコンテンツ画像の写真を店頭、会場、インターネットで販売するシステムが提案されている。例えば、非特許文献１に示す画像販売システムでは、画像ストレージを備えた管理システムに登録されたコンテンツ画像を店頭や会場に設置されたプリント端末でダウンロードして写真プリントするダウンロード販売サービスや、インターネットを介して注文されたフォトブックやフォトグッズの元となるコンテンツ画像を工場へ送り、フォトブックやフォトグッズを製造して注文者の元へ送るオンライン注文販売サービス等が提供されている。
【０００３】
ところで、こうした画像販売システムにおいて、販売期間が終了したコンテンツ画像は、画像管理やストレージ節約の観点から削除されていた。
【先行技術文献】
【非特許文献】
【０００４】
【非特許文献１】大日本印刷株式会社、“クラウド型画像販売ソリューション Imaging Mall”、［online］、［平成31年1月29日検索］、インターネット〈URL：http://www.dnp.co.jp/imaging/imaging-mall.html〉
【発明の概要】
【発明が解決しようとする課題】
【０００５】
しかしながら、例えばスポーツ選手の引退やアイドルの卒業、または〇〇周年、〇〇賞受賞等といったタイミングで話題になると、現在販売されている写真だけでなく過去に販売した写真の再販が顧客から要望されることがある。
【０００６】
本発明は上記の問題に鑑みてなされたものであり、販売期間が終了した印刷物の再販を支援する印刷物販売システム、サーバ、データ管理方法、及びプログラムを提供することを目的とする。
【課題を解決するための手段】
【０００７】
前述した課題を解決するための第１の発明は、印刷物の製造、販売を管理するサーバと、ネットワークを介して前記サーバと通信接続された前記印刷物の製造側のストレージと、販売中の印刷物の原画像データを記憶する画像用ストレージと、販売期間終了後の印刷物の原画像データを記憶するアーカイブ用ストレージと、を備え、前記サーバは、再販する印刷物の前記原画像データを前記アーカイブ用ストレージから取出し、前記製造側のストレージへ送信する原画像データ移動手段を備えることを特徴とする印刷物販売システムである。
【０００８】
第１の発明の印刷物販売システムでは、販売期間終了後の印刷物の原画像データをアーカイブ用ストレージに記憶する。印刷物を再販する際に、サーバは再販する印刷物の原画像データをアーカイブ用ストレージから取出し、製造側のストレージ（製造業者端末ストレージ、キオスク端末ストレージ）へ送信する。このように販売期間終了後の原画像データがアーカイブ用ストレージに長期保管されるため、販売期間終了後に商品の再販を行うことが可能となる。
【０００９】
第１の発明において、前記サーバは、前記印刷物の販売形態に応じて前記アーカイブ用ストレージからの前記原画像データの取り出し方法を変更する変更手段を備えることが望ましい。これにより、販売形態に応じて適切な取出し方法でアーカイブ用ストレージから原画像データを取り出すことができるため、データ移動時間やコストの観点から各販売形態にとって最も効率の良い方法でデータを取り出すことが可能となる。
【００１０】
注文用サイトを介したオンライン注文を受け付け、印刷物の製造を製造業者で行う販売形態（オンライン販売）において、前記原画像データ移動手段は、注文のあった印刷物の原画像データを定期的に前記アーカイブ用ストレージから取出し、前記製造業者のストレージへ移動させることが望ましい。また、前記アーカイブ用ストレージからの原画像データの取出し単位は、注文毎とすることが望ましい。オンライン販売では、注文時に即時に原画像データを必要としないため、画像取出しが多少遅くてもサービスに影響がない。そのため、注文のあった原画像データをまとめて定期的にアーカイブ用ストレージから取出し、製造業者のストレージへ移動させることで、効率良くデータを移動させることが可能となる。
【００１１】
また、オンライン販売の場合、前記サーバは、前記製造業者のストレージに注文のあった印刷物の原画像データが記憶されているか否かを確認する確認手段を更に備え、前記原画像データ移動手段は、前記確認手段により前記印刷物の原画像データが記憶されていないと確認された場合に該注文についての原画像データを前記アーカイブ用ストレージから移動することが望ましい。これにより、重複して原画像データを移動することを防ぎ、効率を向上させることができる。
【００１２】
キオスク端末からの注文を受け付け、印刷物の印刷を注文を受けたキオスク端末で行う販売形態（オンサイト販売（１））において、前記原画像データ移動手段は、前記原画像データを一括して前記アーカイブ用ストレージから取出し前記キオスク端末のストレージへ移動させることが望ましい。また、前記アーカイブ用ストレージからの原画像データの取出し単位は、イベント単位とすることが望ましい。また、前記原画像データ移動手段による原画像データの移動は、販売期間開始前に行うことが望ましい。このような販売形態では、注文時に即時に原画像データを必要とするため、販売期間開始前に予めキオスク端末のストレージへ全ての原画像データを一括して送っておくことでサービスを円滑に提供することができる。画像数が少ないイベントの場合に好適である。
【００１３】
また、注文用サイトを介した注文を受け付け、印刷物の印刷をキオスク端末で行う販売形態（オンサイト販売（２））において、前記原画像データ移動手段は、注文の都度、前記原画像データを前記アーカイブ用ストレージから取出し前記キオスク端末のストレージへ移動させることが望ましい。前記アーカイブ用ストレージからの原画像データの取出し単位は、注文毎とする。画像数が多いイベントでは全ての原画像データをキオスク端末のストレージに保存できないため、注文から受け取りまでに時間差を持たせた販売形態（オンサイト販売（２））を利用する。全ての原画像データを予め送っておくのではなく、注文のあった原画像データのみを注文の都度迅速にキオスク端末に送信することで、円滑にサービスを提供でき、かつ効率よくキオスク端末のストレージを使用できる。
【００１４】
また、オンサイト販売（２）の場合、前記サーバは、前記キオスク端末のストレージに注文のあった印刷物の原画像データが記憶されているか否かを確認する確認手段を更に備え、前記原画像データ移動手段は、前記確認手段により前記印刷物の原画像データが記憶されていないと確認された場合に該注文についての原画像データを移動することが望ましい。これにより、重複して原画像データを移動することを防ぎ、効率を向上させることができる。
【００１５】
また、前記サーバは、前記印刷物の販売形態を選択する販売形態選択手段を備え、前記変更手段は、前記販売形態選択手段により選択された販売形態に応じて前記アーカイブ用ストレージからの前記原画像データの取り出し方法を変更することが望ましい。これにより、管理者が販売形態を選択すれば、適切な取出し方法に変更できるため、操作が容易である。
【００１６】
前記アーカイブ用ストレージは、ネットワークを介してアクセス可能なストレージであることが望ましい。ネットワーク上に提供されているストレージサービス等を利用することで、迅速かつ効率よくアーカイブ用ストレージを導入することができる。
【００１７】
前記画像用ストレージには、販売期間終了後もサムネイル画像が保存されることが望ましい。サムネイル画像を残しておくことで、画像管理や閲覧に利用できる。
【００１８】
第２の発明は、印刷物の製造、販売を管理するサーバであって、再販する印刷物の原画像データを、販売期間終了後の印刷物の原画像データを記憶するアーカイブ用ストレージから取出し、ネットワークを介して通信接続された前記印刷物の製造側のストレージへ送信する原画像データ移動手段を備えることを特徴とするサーバである。
【００１９】
第２の発明によれば、第１の発明の印刷物販売システムにおけるサーバを提供できる。
【００２０】
第３の発明は、印刷物の製造、販売を管理するサーバと、ネットワークを介して前記サーバと通信接続された前記印刷物の製造側のストレージと、販売中の印刷物の原画像データを記憶する画像用ストレージと、販売期間終了後の印刷物の原画像データを記憶するアーカイブ用ストレージと、を備えた印刷物販売システムにおけるデータ管理方法であって、前記サーバが、再販する印刷物の前記原画像データを前記アーカイブ用ストレージから取出し、前記製造側のストレージへ送信することを特徴とするデータ管理方法である。
【００２１】
第３の発明のデータ管理方法では、販売期間終了後の印刷物の原画像データをアーカイブ用ストレージに記憶する。印刷物を再販する際に、サーバは再販する印刷物の原画像データをアーカイブ用ストレージから取出し、製造側のストレージ（製造業者端末ストレージ、キオスク端末ストレージ）へ送信する。これにより、販売期間終了後の原画像データがアーカイブ用ストレージに長期保管されるため、販売期間終了後に商品の再販を行うことが可能となる。
【００２２】
第４の発明は、印刷物の製造、販売を管理するサーバとして機能するコンピュータを、再販する印刷物の原画像データを、販売期間終了後の印刷物の原画像データが記憶されたアーカイブ用ストレージから取出し、ネットワークを介して通信接続された前記印刷物の製造側のストレージへ送信する原画像データ移動手段として機能させるためのプログラムである。
【００２３】
第４の発明により、コンピュータを第１の発明の印刷物販売システムにおけるサーバ及び第２の発明のサーバとして機能させることが可能となる。
【発明の効果】
【００２４】
本発明により、販売期間が終了した印刷物の再販を支援する印刷物販売システム、サーバ、データ管理方法、及びプログラムを提供することが可能となる。
【図面の簡単な説明】
【００２５】
【図１】印刷物販売システム１の全体構成を示す図
【図２】画像管理サーバ２のハードウェア構成を示す図
【図３】画像管理サーバ２の記憶部２２に記憶されるデータを示す図
【図４】注文データ２２２のデータ構成を示す図
【図５】注文履歴データ２２３のデータ構成を示す図
【図６】印刷物販売管理データ２２４のデータ構成を示す図
【図７】原画像データ２０１及びサムネイル画像２０２のデータ構成を示す図
【図８】ＷＥＢサーバ３のハードウェア構成を示す図
【図９】ＷＥＢサーバ３の記憶部３２に記憶されるデータを示す図
【図１０】画像登録企業端末４のハードウェア構成を示す図
【図１１】注文者端末５のハードウェア構成を示す図
【図１２】製造業者端末７のハードウェア構成を示す図
【図１３】製造業者端末７の記憶部（製造業者端末ストレージ）７２に記憶されるデータを示す図
【図１４】キオスク端末８のハードウェア構成を示す図
【図１５】キオスク端末８の記憶部（キオスク端末ストレージ）８２に記憶されるデータを示す図
【図１６】印刷物販売システム１の機能構成を示すとともに、販売期間が終了した際の原画像データの移動について説明する図
【図１７】再販時（オンライン販売）の印刷物販売システム１の機能構成を示すとともに、原画像データの移動について説明する図
【図１８】アーカイブ設定画面４０１の一例を示す図
【図１９】再販時（オンサイト販売（１））の印刷物販売システム１の機能構成を示すとともに、原画像データの移動について説明する図
【図２０】再販時（オンサイト販売（２））の印刷物販売システム１の機能構成を示すとともに、原画像データの移動について説明する図
【図２１】印刷物販売システム１における処理の流れを説明するフローチャート
【発明を実施するための形態】
【００２６】
以下、図面に基づいて本発明の好適な実施形態について詳細に説明する。
【００２７】
図１は本発明の実施形態に係る印刷物販売システム１の全体構成を示す図である。図１に示すように、印刷物販売システム１は、画像管理サーバ２、ＷＥＢサーバ３、画像登録企業端末４、注文者端末５、アーカイブ用ストレージ６、製造業者端末７、及びキオスク端末８がネットワーク９を介して通信接続されている。
【００２８】
画像管理サーバ２は、印刷物の製造、販売を管理するサーバであり、販売中の印刷物の原画像データ２０１及びサムネイル画像２０２を記憶する画像用ストレージ２０を有する。画像管理サーバ２は、印刷物販売システム１で販売される印刷物の画像データを画像用ストレージ２０に登録したり、製造業者等のストレージに原画像データを送信して製造を依頼したり、販売期間が終了した印刷物の原画像データを画像用ストレージ２０から削除したりといったデータ管理を行う。また、本発明において、画像管理サーバ２は、販売期間が終了した印刷物の原画像データを画像用ストレージ２０からアーカイブ用ストレージ６に移し替えて長期保管させ、印刷物を再販する際は、再販する印刷物の原画像データをアーカイブ用ストレージから取出し、前記製造側のストレージへ送信する。この処理の詳細については後述する。
【００２９】
ＷＥＢサーバ３は、印刷物販売システム１において注文用サイト及び管理サイトを提供するサーバである。注文用サイトは、印刷物の注文を受け付けるＷＥＢサイトである。管理サイトは、画像管理サーバ２の管理者や画像登録企業の管理者がアクセスできるＷＥＢサイトであり、販売する印刷物の画像を画像管理サーバ２に登録したり、販売期間の設定や販売形態の設定を行ったりするためのサイトである。ＷＥＢサーバ３は、注文用サイトを介して注文者（注文者端末５）から受けた注文データを画像管理サーバ２に送信する。画像管理サーバ２は、注文データの内容にしたがって製造業者端末７に印刷物の製造を依頼する。また、ＷＥＢサーバ３は、管理サイトを介して画像の登録や販売形態の選択、販売期間の設定等を受け付け、設定内容を画像管理サーバ２に送信する。
【００３０】
画像登録企業端末４は、販売する印刷物の画像を画像管理サーバ２に画像を登録する端末である。画像登録企業とは、印刷物の画像（原画像データ２０１）の提供元の企業である。画像登録企業の管理者は、画像登録企業端末４から印刷物販売システム１のＷＥＢサーバ３が提供する管理サイトにアクセスし、管理サイトから画像管理サーバ２に対し販売しようとする画像データ（原画像データ２０１）を送信して登録依頼を行うことで、画像管理サーバ２の画像用ストレージ２０に画像データ（原画像データ２０１）を登録（記憶）できる。画像管理サーバ２は原画像データ２０１のサムネイル画像２０２を生成し、画像管理サーバ２に登録（記憶）する。
【００３１】
ここで、原画像データ２０１とは、印刷物の印刷に用いるための解像度が高くサイズの大きい画像データである。また、サムネイル画像２０２とは、ＷＥＢサイト等での閲覧用に縮小した画像データである。
【００３２】
注文者端末５は、注文者が操作する端末であり、例えば、スマートフォンやＰＣ（Personal
Computer）、タブレット等のネットワーク接続が可能な端末である。注文者は、印刷物を購入する際、注文者端末５により印刷物販売システム１のＷＥＢサーバ３が提供する注文用サイトにアクセスし、注文用サイトで提示されるサムネイル画像等を参照しながら注文枚数やプリントサイズを入力し、ＷＥＢサーバ３に送信する。ＷＥＢサーバ３は注文者端末５により入力された注文データ３２３及び注文者情報３２２（氏名、送付先住所、決済情報等）を画像管理サーバ２に送信する。
【００３３】
アーカイブ用ストレージ６は、販売期間が終了した印刷物の原画像データ６１を記憶するストレージである。画像管理サーバ２は、予め設定されている印刷物の販売期間が終了すると、画像用ストレージ２０から販売期間が終了した印刷物の原画像データ２０１をアーカイブ用ストレージ６に移し替える。画像用ストレージ２０からは、販売期間が終了した印刷物の原画像データ２０１は削除される。なお、サムネイル画像２０２は販売期間が終了しても画像用ストレージ２０に残される。これは、画像管理や再販時に注文用サイトで閲覧用に使用するためである。
【００３４】
アーカイブ用ストレージ６は、本実施の形態では、ネットワーク９を介してアクセス可能なストレージであり、例えば、クラウドコンピューティングサービスを利用することができる。
【００３５】
製造業者端末７は、印刷物の製造工場等の製造業者が保有する端末であり、印刷物の製造に使用する原画像データを記憶する記憶部（製造業者端末ストレージ）７２を有する。製造業者端末７は、画像管理サーバ２から入稿（送信）された原画像データ２０１を受信し、製造業者端末７の記憶部（製造業者端末ストレージ）７２に記憶する。製造業者は、画像管理サーバ２から送信された注文データに従って製造業者端末７の記憶部（製造業者端末ストレージ）７２に記憶された原画像データ２０１を使用して印刷物の製造（印刷）を行う。作成された印刷物は注文者の住所へ発送される。記憶部（製造業者端末ストレージ）７２内の原画像データ２０１は、再製造用に所定期間（例えば、半年間）保持され、その後削除される。
【００３６】
キオスク端末８は、コンビニエンスストアや家電量販店、スーパー、コンテンツを扱う店舗、スポーツやコンサート会場といった人が集まる場所等に設置される写真等の注文入力及び印刷を行う装置であり、印刷物の製造に使用する原画像データ２０１を記憶する記憶部（キオスク端末ストレージ）８２を有する。キオスク端末８の記憶部（キオスク端末ストレージ）８２に記憶されるデータの内容は、画像管理サーバ２が管理するＷｅｂＤＡＶ２０ａ（画像用ストレージ２０の一部）と同期している。画像管理サーバ２側でＷｅｂＤＡＶ２０ａ内に原画像データ２０１が保存されると、キオスク端末８の記憶部（キオスク端末ストレージ）８２にも保存され、画像管理サーバ２側でＷｅｂＤＡＶ２０ａ内の原画像データ２０１が削除されると、キオスク端末８の記憶部（キオスク端末ストレージ）８２からも削除される。キオスク端末８は、印刷物の注文画面をタッチパネル８４に表示し、注文者の操作による印刷物の注文を受け付ける。キオスク端末８は、注文内容に従って記憶部（キオスク端末ストレージ）８２に記憶された原画像データ２０１を使用して印刷物の印刷を行い、印刷物取出し口から排出する。
【００３７】
以下の説明において、製造業者端末７の記憶部７２を製造業者端末ストレージ７２と呼び、キオスク端末８の記憶部８２をキオスク端末ストレージ８２と呼ぶ。また、製造業者端末ストレージ７２及びキオスク端末ストレージ８２を総称して製造側ストレージと呼ぶ。
【００３８】
ネットワーク９は、ＬＡＮ（Local Area Network）や、より広域に通信接続されたＷＡＮ（Wide Area Network）、またはインターネット等の公衆の通信回線、基地局等を含む。ネットワークは有線、無線を問わない。
【００３９】
次に、印刷物販売システム１の各装置の構成について説明する。
図２は、画像管理サーバ２の構成を示す図である。図２に示すように、画像管理サーバ２は、例えば制御部２１、記憶部２２、通信制御部２３、入力部２４、表示部２５、及び周辺機器Ｉ／Ｆ（インタフェース）部２６等をバス２７により接続して構成したコンピュータにより実現できる。但し、画像管理サーバ２の構成はこれに限ることなく、適宜様々な構成をとることができる。
【００４０】
制御部２１は、ＣＰＵ（Central Processing Unit）、ＲＯＭ（Read Only Memory）、ＲＡＭ（Random Access Memory）等により構成される。ＣＰＵは、記憶部２２、ＲＯＭ、記録媒体等に格納されるプログラムをＲＡＭ上のワークメモリ領域に呼び出して実行し、バス２７を介して接続された各部を駆動制御する。ＲＯＭは、コンピュータのブートプログラムやＢＩＯＳ等のプログラム、データ等を恒久的に保持する。ＲＡＭは、ロードしたプログラムやデータを一時的に保持するとともに、制御部２１が各種処理を行うために使用するワークエリアを備える。制御部２１は、上記プログラムを読み出して実行することにより、画像管理サーバ２の各手段として機能する。
【００４１】
記憶部２２は、例えば、ハードディスクドライブやソリッドステートドライブ、フラッシュメモリ等の記憶装置である。記憶部２２には制御部２１が実行するプログラムや、プログラム実行に必要なデータ、オペレーティングシステム等が格納されている。これらのプログラムコードは、制御部２１により必要に応じて読み出されてＲＡＭに移され、ＣＰＵに読み出されて実行される。また、記憶部２２には、図３に示すように、注文者情報２２１、注文データ２２２、注文履歴データ２２３、及び印刷物販売管理データ２２４等が記憶される。これらのデータの詳細については後述する。
【００４２】
通信制御部２３は、通信制御装置、通信ポート等を有し、ネットワーク９等との通信を制御する。画像管理サーバ２はネットワーク９を介してＷＥＢサーバ３、画像登録企業端末４、注文者端末５、アーカイブ用ストレージ６、製造業者端末７、及びキオスク端末８と通信接続し、各種のデータを送受信可能である。
【００４３】
入力部２４は、例えば、タッチパネル、キーボード、マウス等のポインティング・デバイス、テンキー等の入力装置であり、入力されたデータを制御部２１へ出力する。
【００４４】
表示部２５は、例えば液晶パネル等のディスプレイ装置と、ディスプレイ装置と連携して表示処理を実行するための論理回路（ビデオアダプタ等）で構成され、制御部２１の制御により入力された表示情報をディスプレイ装置上に表示させる。なお、入力部２４及び表示部２５は、表示画面にタッチパネル等の入力装置を一体的に設けたタッチパネルディスプレイとしてもよい。
【００４５】
周辺機器Ｉ／Ｆ部２６は、周辺機器を接続させるためのポートであり、周辺機器Ｉ／Ｆ部２６を介して周辺機器とのデータの送受信を行う。周辺機器との接続形態は有線、無線を問わない。画像管理サーバ２は、周辺機器Ｉ／Ｆ部２６を介して画像用ストレージ２０を接続する。
バス２７は、各装置間の制御信号、データ信号等の授受を媒介する経路である。
【００４６】
図３は画像管理サーバ２の記憶部２２に記憶されるデータの例を示す図である。図３に示すように、画像管理サーバ２の記憶部２２には、注文者情報２２１、注文データ２２２、注文履歴データ２２３、及び印刷物販売管理データ２２４等が記憶される。
【００４７】
注文者情報２２１は、ＷＥＢサーバ３にて注文を入力した注文者（顧客）の情報であり、例えば、注文者の識別情報である注文者ＩＤ、注文者の氏名、住所、決済情報等の情報が含まれる。注文者情報２２１は、ＷＥＢサーバ３が提供する注文用サイトを介して注文者端末５から入力され、画像管理サーバ２に送信される。
【００４８】
注文データ２２２は、ＷＥＢサーバ３が提供する注文用サイトを介して入力された注文の内容を示すデータであり、図４に示すように、各印刷物番号に対する注文数量のデータを有する。また、注文データ２２２には、注文者の識別情報である注文者ＩＤ、及びＷＥＢサーバ３が注文毎に発行した注文識別番号等も記憶される。注文データ２２２は、ＷＥＢサーバ３から画像管理サーバ２に送信されて画像管理サーバ２の記憶部２２に記憶される。
【００４９】
注文履歴データ２２３は、図５に示すように、注文識別番号、注文者ＩＤ、注文日時、支払い有無（決済情報）等が記憶される。注文履歴データ２２３はＷＥＢサーバ３にて生成され、画像管理サーバ２に送信されて画像管理サーバ２の記憶部２２に記憶される。
【００５０】
印刷物販売管理データ２２４は、図６に示すように、販売される印刷物のイベント名やイベントＩＤ、販売形態、販売期間（再販期間を含む）等が記憶されるデータである。図６中の各販売形態（オンライン販売、オンサイト販売（１）、及びオンサイト販売（２））については後述する。
【００５１】
図７は、画像用ストレージ２０等に記憶される原画像データ２０１、サムネイル画像２０２のデータ内容を示す図である。原画像データ２０１は、図７に示すように、画像ＩＤ及び印刷物番号と紐づけて原画像のファイル名、及び原画像が記憶される。画像ＩＤは各写真の原画像データ２０１を識別する情報であり、画像管理サーバ２（画像用ストレージ２０）にアップロードされたすべての写真に付与される。印刷物番号は、販売する印刷物に付与される番号であり、注文用サイト等で提示される印刷物番号と対応した番号が付与される。原画像は、原画像のデータ、または、原画像のファイル名や格納先の情報が記憶される。
【００５２】
サムネイル画像２０２は、図７に示すように、画像ＩＤ及び印刷物番号と紐づけてサムネイル画像のファイル名、及びサムネイル画像が記憶される。サムネイル画像の画像ＩＤは原画像データの画像ＩＤと対応している。印刷物番号は、販売する印刷物に付与される番号であり、注文用サイト等で提示される印刷物番号と対応した番号が付与される。サムネイル画像は、サムネイル画像のデータ、または、サムネイル画像のファイル名や格納先の情報が記憶される。
【００５３】
図８は、ＷＥＢサーバ３のハードウェア構成を示す図である。図８に示すように、ＷＥＢサーバ３は、例えば制御部３１、記憶部３２、通信制御部３３、入力部３４、表示部３５、及び周辺機器Ｉ／Ｆ（インタフェース）部３６等をバス３７により接続して構成したコンピュータにより実現できる。但し、ＷＥＢサーバ３の構成はこれに限ることなく、適宜様々な構成をとることができる。制御部３１、記憶部３２、通信制御部３３、入力部３４、表示部３５、及び周辺機器Ｉ／Ｆ部３６の構成は、画像管理サーバ２の制御部２１、記憶部２２、通信制御部２３、入力部２４、表示部２５、周辺機器Ｉ／Ｆ部２６の構成と同様であるため重複する説明を省略する。
【００５４】
図９は、ＷＥＢサーバ３の記憶部３２に記憶されるデータの例を示す図である。図９に示すように、ＷＥＢサーバ３の記憶部３２には、注文用サイトデータ３２１、注文者情報３２２、注文データ３２３、注文履歴データ３２４、管理サイトデータ３２５等が記憶される。注文者情報３２２、注文データ３２３、注文履歴データ３２４等が記憶されてもよい。
【００５５】
注文用サイトデータ３２１は、注文用サイトを表示するための文書データである。注文用サイトデータ３２１には、ユーザ（注文者）登録画面、ログイン画面、注文入力画面、決済情報入力画面、注文確認画面等が含まれる。注文入力画面には販売する印刷物のサムネイル画像及び印刷物番号が表示されるとともに、注文数量の入力欄が設けられる。ＷＥＢサーバ３は、注文用サイトデータ３２１を用いて注文用サイトを閲覧可能に提供する。
【００５６】
管理サイトデータ３２５は、管理サイトを表示するための文書データである。管理サイトデータ３２５には、ユーザ（管理者）登録画面、ログイン画面、画像登録画面、アーカイブ設定画面４０１（図１８）等、印刷物の販売やデータ管理に関する各種設定画面等が含まれる。ＷＥＢサーバ３は、管理サイトデータ３２５を用いて管理サイトを閲覧可能に提供する。
【００５７】
注文者情報３２２は、ＷＥＢサーバ３にて注文を入力した注文者（顧客）の情報であり、例えば、注文者ＩＤ、氏名、住所、決済情報等の情報が含まれる。
【００５８】
注文データ３２３は、ＷＥＢサーバ３にて入力された注文の内容を示すデータであり、図４の注文データ２２２と同様に、注文識別番号、注文者ＩＤ、印刷物番号に対する数量のデータ等が記憶される。注文履歴データ３２４は、図５の注文履歴データ２２３と同様に、注文識別番号、注文日時、支払いの有無（決済情報）等が記憶される。
【００５９】
図１０は、画像登録企業端末４の構成を示す図である。図１０に示すように、画像登録企業端末４は、例えば制御部４１、記憶部４２、通信制御部４３、入力部４４、表示部４５、及び周辺機器Ｉ／Ｆ（インタフェース）部４６等をバス４７により接続して構成したコンピュータにより実現できる。但し、画像登録企業端末４の構成はこれに限ることなく、適宜様々な構成をとることができる。制御部４１、記憶部４２、通信制御部４３、入力部４４、表示部４５、及び周辺機器Ｉ／Ｆ部４６の構成は、サーバ２の制御部２１、記憶部２２、通信制御部２３、入力部２４、表示部２５、周辺機器Ｉ／Ｆ部２６の構成と同様であるため重複する説明を省略する。
【００６０】
図１１は、注文者端末５の構成を示す図である。
図１１に示すように、注文者端末５は、例えば制御部５１、記憶部５２、通信制御部５３、タッチパネル（表示部、入力部）５４、カメラ５５、音声処理部５６、周辺機器Ｉ／Ｆ部５７等をバス５９等により接続して構成した、例えばスマートフォン、タブレット、ＰＣ等により実現できる。但しこれに限ることなく、適宜様々な構成をとることができる。制御部５１、記憶部５２、通信制御部５３は、周辺機器Ｉ／Ｆ部５７の構成は、サーバ２の制御部２１、記憶部２２、通信制御部２３、周辺機器Ｉ／Ｆ部２６の構成と同様であるため重複する説明を省略する。
【００６１】
タッチパネル５４は、表示部及び入力部を兼ねたタッチパネル付ディスプレイ等により実現される。タッチパネルの表示部は、ユーザの操作・選択に係る各種の画面を表示し、画面上のタッチ操作による顧客らの指示入力等を受付ける。
【００６２】
カメラ５５は、例えばＣＣＤ（Charge Coupled Device）イメージセンサやＣＭＯＳ（Complementary Metal Oxide Semiconductor）イメージセンサなどの撮像素子を用いたカメラであり、撮像した画像を制御部５１に送出する。
【００６３】
音声処理部５６は、音声入力部（マイク）、音声出力部（スピーカ）、及び通話を行うための通話部等を含む。
【００６４】
図１２は、製造業者端末７の構成を示す図である。図１２に示すように、製造業者端末７は、例えば制御部７１、記憶部（製造業者端末ストレージ）７２、通信制御部７３、入力部７４、表示部７５、及び周辺機器Ｉ／Ｆ（インタフェース）部７６等をバス７７により接続して構成したコンピュータにより実現できる。但し、製造業者端末７の構成はこれに限ることなく、適宜様々な構成をとることができる。制御部７１、記憶部７２、通信制御部７３、入力部７４、表示部７５、及び周辺機器Ｉ／Ｆ部７６の構成は、画像管理サーバ２の制御部２１、記憶部２２、通信制御部２３、入力部２４、表示部２５、周辺機器Ｉ／Ｆ部２６の構成と同様であるため重複する説明を省略する。
【００６５】
図１３は、製造業者端末７の記憶部（製造業者端末ストレージ）７２に記憶されるデータの例を示す図である。図１３に示すように、製造業者端末ストレージ７２には、注文データ７２１、注文者情報７２２、及び原画像データ７２３等が記憶される。
【００６６】
注文データ７２１は、画像管理サーバ２から転送される注文データ２２２である。注文者情報７２２は、注文データ７２１の注文者に関する情報であり、画像管理サーバ２から注文データ２２２（７２１）とともに送信される。原画像データ７２３は、注文データ７２１に含まれる印刷物の原画像データ２０１である。原画像データ７２３は、通常の販売期間中は画像管理サーバ２の画像用ストレージ２０から送信されるが、販売期間終了後アーカイブ用ストレージ６に原画像データが移し替えられた後は、アーカイブ用ストレージ６から原画像データ６１（２０１）が送信される。再販時の原画像データ２０１の移動については後述する。
【００６７】
印刷物の製造工場（製造業者）は、製造業者端末ストレージ７２に記憶された原画像データ７２３を用いて、印刷機により印刷物を印刷する。
【００６８】
図１４は、キオスク端末８の構成を示す図である。
図１４に示すように、キオスク端末８は、例えば制御部８１、記憶部（キオスク端末ストレージ）８２、通信制御部８３、タッチパネル（表示部、入力部）８４、周辺機器Ｉ／Ｆ部８５、プリンタ８６、課金処理部８７等をバス８９等により接続して構成される。但しこれに限ることなく、適宜様々な構成をとることができる。制御部８１、記憶部８２、通信制御部８３、周辺機器Ｉ／Ｆ部８５の構成は、画像管理サーバ２の制御部２１、記憶部２２、通信制御部２３、周辺機器Ｉ／Ｆ部２６の構成と同様であり、タッチパネル８４の構成は注文者端末５のタッチパネル５４の構成と同様であるため重複する説明を省略する。
【００６９】
プリンタ８６は、制御部８１から入力される制御信号に従って、原画像データ２０１を用いて所定の用紙に印刷物を印刷する。プリンタ８６は高解像度カラープリンタであり、昇華型、溶融型等、プリンタの方式は問わない。
【００７０】
課金処理部８７は、硬貨や紙幣の入金口やつり銭の返金口等を供えたコインメックやプリペイドカードや電子マネーでの決済処理を行う電子マネー処理部を含む。コインメックは、入金口から入金された金額に関する情報を制御部８１に出力し、制御部８１から入力される制御信号に従って、つり銭額に応じた硬貨、紙幣を返金口に排出する。なお、キオスク端末８で課金処理を行わずレジにて課金処理を行うものとしてもよい。その場合は、課金処理部８７に代えて課金情報を印刷するレシートプリンタを備えるものとする。顧客は印刷されたレシートをレジに持っていき、精算する。
【００７１】
図１５は、キオスク端末８の記憶部（キオスク端末ストレージ）８２に記憶されるデータの例を示す図である。図１５に示すように、キオスク端末ストレージ８２には、注文データ８２１、原画像データ８２２等が記憶される。
【００７２】
注文データ８２１は、キオスク端末８にて注文者により入力された注文の内容を示すデータである。原画像データ８２２は、印刷物の原画像データ２０１である。キオスク端末ストレージ８２は、画像管理サーバ２のＷｅｂＤＡＶ２０ａと同期している。通常の販売期間中は画像管理サーバ２のＷｅｂＤＡＶ２０ａ内の原画像データ２０１がキオスク端末ストレージ８２に送信されるが、販売期間終了後、アーカイブ用ストレージ６に原画像データ２０１が移し替えられた後は、アーカイブ用ストレージ６からキオスク端末ストレージ８２に原画像データ６１（２０１）が送信される。再販時の画像データ８２２の移動については後述する。
【００７３】
キオスク端末８のプリンタ８６はキオスク端末ストレージ８２に記憶された原画像データ８２２を用いて、所定の用紙に印刷物を印刷する。
【００７４】
次に、印刷物販売システム１の機能構成について説明する。図１６は、印刷物販売システム１の機能構成を示すとともに、販売期間が終了した際の画像データ（原画像データ２０１及びサムネイル画像２０２）の移動について説明する図である。なお、図１６はどの販売形態にも共通する構成である。
【００７５】
図１６に示すように、画像管理サーバ２は、原画像データ移動部１１、画像用ストレージ２０、ＷｅｂＤＡＶ２０ａを有する。
販売期間が終了すると、原画像データ移動部１１は、販売していた印刷物の原画像データ２０１を画像用ストレージ２０からアーカイブ用ストレージ６に移し替えるよう画像用ストレージ２０に対して移動依頼を送り、原画像データ２０１をアーカイブ用ストレージ６に移し替える。このとき、サムネイル画像２０２は画像用ストレージ２０に残しておく。また、原画像データ移動部１１は、ＷｅｂＤＡＶ２０ａ内の原画像データ２０１を削除するよう、削除依頼を送る。ＷｅｂＤＡＶ２０ａのデータ内容はキオスク端末ストレージ８２と同期しているため、キオスク端末ストレージ８２内の原画像データ２０１も削除される。更に、画像管理サーバ２の原画像データ移動部１１は、製造業者端末ストレージ７２に対して販売期間の終了した原画像データ２０１の削除依頼を送信する。製造業者端末７では、削除依頼を受信してから所定期間経過後（例えば、半年後）、または印刷に使用してから所定期間経過後（例えば、半年後）に該当する原画像データ２０１を削除する。
【００７６】
画像用ストレージ２０内には、サムネイル画像２０２が残り、販売期間終了後の原画像データ２０１はアーカイブ用ストレージ６に移し替えられた状態となる。アーカイブ用ストレージ６には、販売期間終了後の原画像データ６１（２０１）が記憶される。また、キオスク端末ストレージ８２から販売期間の終了した原画像データ２０１が削除される。製造業者端末ストレージ７２の原画像データ２０１は、販売期間終了後、所定期間経過後に削除される。
【００７７】
次に、再販時の原画像データ２０１の動きについて説明する。
図１７、図１９、図２０は、再販時の印刷物販売システム１の機能構成を示すとともに、原画像データ２０１の移動について説明する図であり、図１７はオンライン販売時、図１９はオンサイト販売（１）時、図２０はオンサイト販売時（２）の状態を示している。図１８はアーカイブ設定画面４０１の一例を示す図である。
【００７８】
図１７、図２０に示すように、オンライン販売及びオンサイト販売（２）において、画像管理サーバ２は、原画像データ移動部１１、販売形態選択部１２、変更部１３、確認部１４を有する。オンサイト販売（１）では図１９に示すように、原画像データ移動部１１、販売形態選択部１２、及び変更部１３を有する。
【００７９】
販売形態選択部１２は、画像登録企業端末４から再販依頼を受信すると、図１８に示すようなアーカイブ設定画面４０１を画像登録企業端末４に送信し、販売形態の選択を受け付ける。再販依頼は、画像管理サーバ２が提供する印刷物販売システム１の管理サイトにアクセスすることにより行うことができる。アーカイブ設定画面４０１では、再販する印刷物のイベント名４０１ａ、販売形態４０１ｂ、４０１ｃ、４０１ｄ、販売期間４０１ｅ、画像の選択４０１ｆ等の設定を行うことができる。本実施形態では、選択可能な販売形態として、オンライン販売４０１ｂ、オンサイト販売（１）４０１ｃ、オンサイト販売（２）４０１ｄが設けられている。登録４０１ｇは、設定内容を登録する際に押下されるボタンである。
【００８０】
オンライン販売４０１ｂとは、注文用サイトを介して注文者端末５からの注文を受け付け、印刷物の製造を製造業者（印刷工場等）に依頼し、注文者の設定した送付先に完成した印刷物を送付する販売形態である。
【００８１】
オンサイト販売（１）４０１ｃとは、注文者がキオスク端末８で注文を入力し、注文を受けたキオスク端末８で印刷物をプリント出力する販売形態である。画像数が例えば９９枚以下等、比較的少ない場合（キオスク端末ストレージ８２の記憶容量に収まる画像数の場合）に、オンサイト販売（１）を選択できる。
【００８２】
オンサイト販売（２）４０１ｄとは、注文者が注文者端末５から注文用サイトを介して注文を入力し、印刷物のプリントをキオスク端末８で行う販売形態である。画像数が比較的多い場合（１００枚以上等、キオスク端末ストレージ８２の記憶容量に収まらない画像数の場合）は、オンサイト販売（２）を選択する。
【００８３】
図１７の説明に戻る。
変更部１３は、販売形態選択部１２により選択された印刷物の販売形態に応じてアーカイブ用ストレージ６からの原画像データ６１（２０１）の取り出し方法を変更する。アーカイブ用ストレージ６からの原画像データ２０１の取り出し方法としては、（Ａ）定期取出し、（Ｂ）一括取出し、（Ｃ）都度取出しの３種類があるものとする。
【００８４】
（Ａ）定期取出しとは、画像管理サーバ２の原画像データ移動部１１が、注文のあった印刷物の原画像データ６１（２０１）を定期的にアーカイブ用ストレージ６から取出し、製造側ストレージ（製造業者端末ストレージ７２）へ移動させることである。定期的とは、例えば、１日１回等、所定の頻度で行うことである。その際、例えば１日の注文分をまとめて注文のあった原画像データ６１（２０１）のみ移動する。本実施形態では、オンライン販売において（Ａ）定期取出しが適用される。データの取り出し単位は注文毎とする。
【００８５】
（Ｂ）一括取出しとは、画像管理サーバ２の原画像データ移動部１１が、アーカイブ用ストレージ６から再販する印刷物の原画像データ６１（２０１）を一括して取出し、キオスク端末ストレージ８２へ移動させることである。キオスク端末ストレージ８２の記憶容量には限界があるため、印刷物数が多くない場合にのみ選択できる取出し方法である。容量の大きい原画像データの移動を一括して行うため、データ量が大きくデータの移動に長時間を要してしまう。そのため、（Ｂ）一括取出しを利用する場合は、再販期間が始まる前に原画像データ６１（２０１）の移動を行っておく必要がある。本実施形態では、オンサイト販売（１）において適用される。データの取り出し単位はイベント毎とする。
【００８６】
（Ｃ）都度取出しとは、印刷物が注文される都度、画像管理サーバ２の原画像データ移動部１１が、アーカイブ用ストレージ６から該当する原画像データ６１（２０１）を取出し、キオスク端末ストレージ８２へ移動させることである。キオスク端末ストレージ８２に再販するイベントの全ての原画像データ６１（２０１）を取り込めない場合（印刷物の枚数が多い場合）や、印刷物の注文をオンラインで行いプリントをキオスク端末８で行う販売形態等に好適な取出し方法である。注文の都度、注文分の原画像データ６１（２０１）を移動するため、１回の移動データ量は比較的小さく、優先的にデータを移動できる。本実施形態では、オンサイト販売（２）において適用される。データの取り出し単位は注文毎である。
【００８７】
確認部１４は、製造側ストレージ（製造業者端末ストレージ７２、キオスク端末ストレージ８２）に移動しようとする印刷物の原画像データ２０１が既に記憶されているか否かを確認する。原画像データ移動部１１は、確認部１４により、移動しようとする原画像データ２０１が記憶されていないと確認された場合に、アーカイブ用ストレージ６から原画像データ６１（２０１）を移動する。具体的にはオンライン販売では、キオスク端末ストレージ８２内に注文された印刷物の原画像データ２０１が既に保存されているか否かが確認される。また、オンサイト販売（２）では、製造業者端末ストレージ７２に注文された印刷物の原画像データ２０１が既に保存されているか否かが確認される。移動しようとする原画像データ２０１が既に製造業者端末ストレージ７２またはキオスク端末ストレージ８２に記憶されている場合は、原画像データ移動部１１はその原画像データを移動しない。なお、オンサイト販売（１）では、イベント単位に一括して原画像データを送信するため確認部１４による確認は行わない。
【００８８】
次に、図２１を参照しながら本実施形態の印刷物販売システム１における処理の流れを説明する。
画像管理サーバ２の制御部２１は、販売中の画像について販売期間が終了しているか否かを監視している（ステップＳ１０１）。販売期間が終了せず（ステップＳ１０１；Ｎｏ）、また再販依頼が画像登録企業端末４から送信されない場合は（ステップＳ１０２；Ｎｏ）、ステップＳ１０１に戻る。販売期間が終了すると（ステップＳ１０１；Ｙｅｓ）、画像管理サーバ２（原画像データ移動部１１）は、印刷期間が終了した印刷物の原画像データ２０１を画像用ストレージ２０からアーカイブ用ストレージ６に移動する（ステップＳ１０３）。すると、図１６に示すように、画像用ストレージ２０にはサムネイル画像２０２のみ残り、アーカイブ用ストレージ６に販売期間が終了した原画像データ６１（２０１）が移動される。また、ＷｅｂＤＡＶ２０ａの原画像データ２０１も削除されるため、ＷｅｂＤＡＭ２０ａと同期しているキオスク端末ストレージ８２内の原画像データ２０１も削除される。また、画像管理サーバ２は製造業者端末７に対して原画像データ２０１の削除依頼を送信する。製造業者端末７は、削除依頼を受信してから所定期間経過後（例えば半年後）、或いは印刷に使用してから所定期間経過後（例えば半年後）に原画像データを削除する。
【００８９】
管理サイトにて画像登録企業端末４から再販依頼が行われると（ステップＳ１０２；Ｙｅｓ）、画像管理サーバ２の制御部２１は、管理サイトのアーカイブ設定画面４０１（販売形態選択部１２）にて設定された情報を受信し、販売形態に応じた処理を行う（ステップＳ１０４）。
【００９０】
販売形態としてオンライン販売が設定された場合（ステップＳ１０４；オンライン）、画像管理サーバ２の制御部２１（変更部１３）は、データの取り出し方法を「定期取出し」に変更する（ステップＳ１０５）。オンライン販売では、図１７に示すように注文者端末５から注文用サイトを介して注文データが入力される。画像管理サーバ２の制御部２１（確認部１４）は、例えば１日１回等のように定期的に注文データをまとめ、注文のあった印刷物の原画像データ２０１が製造業者端末ストレージ７２に記憶されているか確認する（ステップＳ１０６）。画像管理サーバ２の制御部２１（原画像データ移動部１１）は、定期的に、注文分の原画像データ２０１であって製造業者端末ストレージ７２にない原画像データ２０１をアーカイブ用ストレージ６から取り出して、製造業者端末７の記憶部７２に移動する（ステップＳ１０７）。製造業者は、注文のあった印刷物の印刷を原画像データ２０１を用いて行い、完成した印刷物を注文データの発送先住所に送付する。
【００９１】
販売形態としてオンサイト販売（１）が設定された場合（ステップＳ１０４；オンサイト（１））、画像管理サーバ２の制御部２１（変更部１３）は、データの取り出し方法を「一括取出し」に変更する（ステップＳ１０８）。オンサイト販売（１）では、キオスク端末８で注文が入力され、キオスク端末８で注文された印刷物の印刷が行われる。そのため、キオスク端末ストレージ８２内に再販する全ての印刷物の原画像データ２０１が記憶されていることが望ましい。そこで、図１９に示すように、画像管理サーバ２の制御部２１（原画像データ移動部１１）は、再販されるイベントの印刷物の原画像データ２０１をすべてアーカイブ用ストレージ６から取り出して、キオスク端末ストレージ８２に移動する（ステップＳ１０９）。キオスク端末８は、注文のあった印刷物の原画像データ２０１を記憶部（キオスク端末ストレージ）８２から読み出して印刷し、完成した印刷物を印刷物排出口から排出する。注文者はその場で印刷物を受け取ることができる。
【００９２】
販売形態としてオンサイト販売（２）が設定された場合（ステップＳ１０４；オンサイト（２））、画像管理サーバ２の制御部２１（変更部１３）は、データの取り出し方法を「都度取出し」に変更する（ステップＳ１１０）。オンサイト販売（２）では、図２０に示すように、注文者は注文者端末５から注文用サイトを介して注文データを入力し、注文識別番号を受け取る。所定の待機時間を経過後、注文者はキオスク端末８へ行き、注文識別番号を入力し、注文した印刷物をキオスク端末８で印刷して受け取る。
【００９３】
画像管理サーバ２の制御部２１（確認部１４）は、注文の都度、注文のあった印刷物の原画像データ２０１がキオスク端末ストレージ８２にあるか確認する（ステップＳ１１１）。画像管理サーバ２の制御部２１（原画像データ移動部１１）は、注文の都度、注文分の原画像データ２０１であってキオスク端末８の記憶部（キオスク端末ストレージ）８２にない原画像データ２０１をアーカイブ用ストレージ６から取り出して、キオスク端末ストレージ８２に移動する（ステップＳ１１２）。キオスク端末８は、注文者が注文識別番号を入力すると、該当する注文データについての原画像データ２０１を記憶部８２から読み出して印刷を行い、完成した印刷物を印刷物排出口から排出する。注文者は注文時から所定の待機時間だけ待機すれば、印刷物を受け取ることができる。例えば、ライブイベント等の開始時間前や幕間等に注文者端末５からの注文を受け付け、ライブイベント終了後にキオスク端末８での受け取りを開始するといった販売方法を展開できる。
【００９４】
以上説明したように、本実施形態の印刷物販売システム１によれば、画像管理サーバ２は販売期間終了後の印刷物に使用された原画像データをアーカイブ用ストレージ６に移し替え、記憶する。印刷物を再販する際に、画像管理サーバ２は再販する印刷物の原画像データ２０１をアーカイブ用ストレージ６から取出し、製造側のストレージ（製造業者端末ストレージ７２、キオスク端末ストレージ８２）へ送信する。従来は、販売期間終了後の原画像データ２０１は削除されていたが、本発明によれば、アーカイブ用ストレージ６に原画像データ２０１を長期保管するため、商品の再販を行うことが可能となる。また、画像管理サーバ２は、印刷物の販売形態に応じてアーカイブ用ストレージ６からの原画像データ２０１の取り出し方法を変更するため、販売形態に応じて適切な取出し方法でアーカイブ用ストレージ６から原画像データを移動させることができ、データ移動時間やコストの観点から効率良くデータを取り出すことが可能となる。
【００９５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９６】
１・・・・・印刷物販売システム
２・・・・・画像管理サーバ
３・・・・・ＷＥＢサーバ
４・・・・・画像登録企業端末
５・・・・・注文者端末
６・・・・・アーカイブ用ストレージ
７・・・・・製造業者端末
８・・・・・キオスク端末
９・・・・・ネットワーク
１１・・・・原画像データ移動部
１２・・・・販売形態選択部
１３・・・・変更部
１４・・・・確認部
２０・・・・画像用ストレージ
２０ａ・・・ＷｅｂＤＡＶ
６１・・・・販売終了後の原画像データ
７２・・・・製造業者端末ストレージ
８２・・・・キオスク端末ストレージ
２０１・・・販売中の原画像データ
２０２・・・サムネイル画像
４０１・・・アーカイブ設定画面
【図１】
2020135166.tif 000003
【図２】
2020135166.tif 000004
【図３】
2020135166.tif 000005
【図４】
2020135166.tif 000006
【図５】
2020135166.tif 000007
【図６】
2020135166.tif 000008
【図７】
2020135166.tif 000009
【図８】
2020135166.tif 000010
【図９】
2020135166.tif 000011
【図１０】
2020135166.tif 000012
【図１１】
2020135166.tif 000013
【図１２】
2020135166.tif 000014
【図１３】
2020135166.tif 000015
【図１４】
2020135166.tif 000016
【図１５】
2020135166.tif 000017
【図１６】
2020135166.tif 000018
【図１７】
2020135166.tif 000019
【図１８】
2020135166.tif 000020
【図１９】
2020135166.tif 000021
【図２０】
2020135166.tif 000022
【図２１】
2020135166.tif 000023